(57)【要約】【課題】  ケースの大部分を樹脂製にしても加わる重量や衝撃にも耐えうるばかりか、安価に提供することが可能な戸車装置を提供することを課題とする。【解決手段】  車輪２を取付けた枠状の走行体３が少なくとも下面を開放した樹脂製ケース１内にその下縁面から車輪２を突出させて軸支されているとともに、車輪２を取付けた枠状の走行体３の取付位置が樹脂製ケース１の前面部１ａに装着された調整ネジにより調整可能な戸車装置において、走行体３を軸支している支持軸を樹脂製ケース１に固着された金属製の支持板で支持した。【選択図】      図１
2007277937.tif 000002
【特許請求の範囲】
【請求項１】
車輪を取付けた枠状の走行体が少なくとも下面を開放した樹脂製ケース内にその下縁面から前記車輪を突出させて軸支されているとともに、前記車輪を取付けた枠状の走行体の取付位置が前記樹脂製ケースの前面部に装着された調整ネジにより調整可能な戸車装置において、前記走行体を軸支している支持軸が前記樹脂製ケースに固着された金属製の支持板で支持されていることを特徴とする戸車装置。
【請求項２】
前記金属製の支持板が、前記樹脂製ケース前面を覆う前面部と樹脂製ケース両側面の前方下端部にそれぞれ配置される支持軸の支持部とが連続して一体に形成される請求項１記載の戸車装置。
【請求項３】
前記金属製の支持板が、前記樹脂製ケース前面に横方向に形成された溝部に嵌装する横片状の連結部と樹脂製ケース両側面の前方下端部にそれぞれ配置される支持軸の支持部とが連続して一体に形成される請求項１記載の戸車装置。
【請求項４】
前記金属製の支持板が、樹脂製ケース両側面の前方下端部にそれぞれ配置される一対の支持部からなる請求項１記載の戸車装置。
【発明の詳細な説明】
【技術分野】
【０００１】
本発明は、引戸等の扉の隅に取付けて扉を円滑に移動させる戸車装置に関するものである。
【背景技術】
【０００２】
従来、車輪を取付けた枠状の走行体が少なくとも下面を開放したケース内にその下縁面から前記車輪を突出させて軸支されているとともに、前記車輪を取付けた枠状の走行体に軸支される車輪の高さと左右の位置を調整する各調整ネジが装着された構造になっている戸車装置が知られている（例えば、特開２００２−７０４０２号公報）。
【０００３】
そして、このような戸車装置にあっては、製造を容易にするためと製品を安価に提供するために車輪を支持する走行体を内設するケースが硬質合成樹脂材により形成したものが用いられている。
【０００４】
ところが、一般に安価な合成樹脂材は脆弱なことから成形したケースの強度が低く、前述の戸車装置におけるケースのように重量のある扉を支持することから大きな荷重が掛かり、特に車輪を取付けた走行体を支持する部分は扉の重量が最も加わる場所であり、長期の使用や、大きな外力が加わった時などにおいては、充分な強度を有しているとは言えない。
【特許文献１】特開２００２−７０４０２号公報
【発明の開示】
【発明が解決しようとする課題】
【０００５】
本発明は、上記のような従来の樹脂製ケースを有する戸車装置の問題点を解決しようとするものであり、ケースの大部分を樹脂製にしても加わる重量や衝撃にも耐えうるばかりか、安価に提供することが可能な戸車装置を提供することを課題とするものである。
【課題を解決するための手段】
【０００６】
前記課題を解決するためになされた本発明は、車輪を取付けた枠状の走行体が少なくとも下面を開放した樹脂製ケース内にその下縁面から前記車輪を突出させて軸支されているとともに、前記車輪を取付けた枠状の走行体の取付位置が前記樹脂製ケースの前面部に装着された調整ネジにより調整可能な戸車装置において、前記走行体を軸支している支持軸が前記樹脂製ケースに固着された金属製の支持板で支持されていることを特徴とする。
【０００７】
本発明によれば、樹脂製ケースの一部に金属製支持板を固着し、その金属製支持板で車輪を取付けた枠状を呈する走行体の支持軸両端を支持するため、支持軸の支持強度が増大してその部分に大きな力が加わった際などでも、十分に耐えられるものとなる。即ち、扉の重量が最も加わる支持軸両端部分を金属製支持板で支持することによって支持強度が強化され、耐荷重性のある戸車装置となる。従って、重量がある扉用戸車装置として最適である。また、ケースの主要部分（大部分）を比較的廉価な樹脂製とするため、装置が安価になる。
【０００８】
また、前記金属製の支持板が、前記樹脂製ケース前面を覆う前面部と樹脂製ケース両側面の前方下端部にそれぞれ配置される支持軸の支持部とが連続して一体に形成される場合には、ケース前面部及び支持軸支持部分の強度強化が図られるとともに、ケース前面部に金属面が現れることにより、美麗であり、豪華さも得られる。
【０００９】
また、前記金属製の支持板が、前記樹脂製ケース前面に横方向に形成された溝部に嵌装する横片状の連結部と樹脂製ケース両側面の前方下端部にそれぞれ配置される支持軸の支持部とが連続して一体に形成される場合には、比較的少ない金属材料で支持軸を支持して充分な強度が得られる。
【００１０】
更に、前記金属製の支持板が、樹脂製ケース両側面の前方下端部にそれぞれ配置される一対の支持部からなる場合には、面積の小さな支持板でも支持軸両端を強力に支持することができるものである。従って、最小限の金属材料で充分な支持強度が得られる。
【発明の効果】
【００１１】
以上の手段を有する本発明によれば、ケースの大部分を樹脂製にして重量が加わる部分を金属製支持板で強化することで、安価で耐荷重性に優れたものとなる。
【発明を実施するための最良の形態】
【００１２】
以下、図面に示した本発明の実施の形態について説明する。
【００１３】
図１は、本発明の一実施の形態に係る戸車装置の側面図、図２はその側面に沿った断面図、図３はその正面（前面）図、図４はその背面図、図５はその底面図、図６は側面に沿った要部の拡大断面図、図７は正面に沿った要部の拡大断面図、図８は主要部の分解斜視図である。
【００１４】
本実施形態に示す戸車装置は、主として樹脂製ケース１と、車輪２を取付けた枠状の走行体３と、樹脂製ケース１の一部に固着された前記車輪２を取付けた枠状の走行体３を支持するための金属製支持板５とで構成されている。
【００１５】
そして、樹脂製ケース１は例えばポリアミドやポリアセタール等の合成樹脂で形成され、外観形状が略鞍状形状になっている。また、樹脂製ケース１には軸ピン６に車輪２が軸支された枠状の走行体３が内設されている。更に詳しく説明すると、樹脂製ケース１の前面部１ａを覆う前板部５ａ及び両前方下端に延びる前記走行体３の支持軸４の軸支部５ｂ，５ｂを有する略椅子状の金属支持板５が固着されている。
【００１６】
更に、金属製支持板５が固着された樹脂製ケース１の前面部１ａには、前記走行体３に支持された車輪２の上下位置と左右位置を調整する上下調整ネジ７と左右調整ネジ８が装着され、これらの上下調整ネジ７と左右調整ネジ８を含んだ上下調整機構９及び左右調整機構１０が樹脂製ケース１に内蔵されている。
【００１７】
本実施の形態における上下調整機構９は、スクリュネジからなる上下調整ネジ７とそれに螺合する移動片１１で構成され、上下調整ネジ７を左右に回動すると、枠状の走行体３の上部切欠３ａに係合する移動片１１が前後に移動し枠状の走行体３が上下に回動して上下位置が調整される。
【００１８】
また、左右調整機構１０は、フラットな左右調整ネジ８と、その先端に偏心して設けられた円板１２と、枠状の走行体３内に挟持された略楕円孔１４を有するスライダー１３で構成されている。左右調整ネジ８を左右に回動すると、偏心した円板１２が回動しスライダー１３を取付けた枠状の走行体３が左右に移動して左右位置が調整される。また金属製支持板５とスライダー１３間には、摩擦板１５とコイルばね１６が介在されてコイルばね１６の付勢力と摩擦板１５で任意の位置で係止して車輪２を所望の調整位置に設定することができる。
【００１９】
そして、前記金属製支持板５は、例えば図８に示すように、前記樹脂製ケース１の前面部１ａを覆う前板部５ａに前記樹脂製ケース１の前面部１ａに装着される上下調整ネジ７と左右調整ネジ８の露出孔５ｃ，５ｄおよび図１乃至３に示す扉に戸車装置を取付けるための取付ネジ１７の露出孔５ｅがそれぞれ形成されており、また、前記軸支部５ｂ，５ｂには走行体３の支持軸４を軸支する軸孔５ｆ，５ｆがそれぞれ形成されている。
【００２０】
また、本実施の形態では、樹脂製ケース１の前面部１ａの下部に前記金属製支持板５の下部に一体的に形成した軸支部５ｂ，５ｂの嵌装溝1ｂ，１ｂが形成されており、簡単な構成で且つきわめて安定した状態で金属製支持板５を樹脂製ケース１に固着可能となっている。尚、金属製支持板５の樹脂製ケース１への固着には嵌着、接着、溶着など従来周知の各種の固着手段を用いることができる。
【００２１】
このように本実施の形態によれば、前板部５ａにより樹脂製ケース１の前面部１ａの全体を覆う構成であり、前板部５ａに一体的に形成した軸支部５ｂ，５ｂがきわめて安定したものとなり、長期間使用しても樹脂製ケース１に亀裂等が生ずることのない耐荷重性のあるものとなるばかりか、ケース前面部１ａ全体が金属面となることから美観的にも優れており、豪華さが高められる。
【００２２】
また、図９は本発明の異なる実施の形態に係る戸車装置を示すものであり、樹脂製ケース１８の前面部１８ａの下端部に溝部１８ｂを形成して、その溝部１８ｂに金属製支持板１９の横片状の連結部１９ａを装着固着して、ケース前面部１８ａを横切り支持軸の両端周囲近傍を覆う略立体Ｈ字状の金属製支持板１９を設けたものであり、この形態の戸車装置によれば、比較的少ない金属材料で車輪を取付けた支持板の支持軸両端を支持するための強度が得られる。
【００２３】
更に、図１０は本発明の更に異なる実施の形態に係る戸車装置を示すものであり、樹脂製ケース２０の前面部２０ａ下端に装着切欠２１ａ,２１ｂを形成し、その装着切欠２１ａ,２１ｂに支持軸の両端周囲近傍を覆う一対の金属製支持板２２を装着固着してその金属製支持板２２で支持板の支持軸を支持するものである。
【００２４】
この形態の戸車装置によれば、更に少ない金属材料で車輪を取付けた枠状の走行体の支持軸両端を支持する十分な強度が得られる。
【００２５】
以上、本発明の実施形態を述べたが、本発明は上記実施形態に限定されるものではなく、例えば、戸車装置を取付けるための取付ネジは、実施形態では１本であるが、２本設ける構成にしてもよく、その他の部分の構成も、使用場所や用途等に応じて任意に変えられるものである。
【図面の簡単な説明】
【００２６】
【図１】本発明の優れた実施の形態に係る戸車装置の側面図である。
【図２】図１の側面に沿った断面図である。
【図３】図１の正面（前面）図である。
【図４】図１の背面図である。
【図５】図１の底面図である。
【図６】図１に示した実施の形態についての側面に沿った要部の拡大断面図である。
【図７】図１に示した実施の形態についての正面に沿った要部の拡大断面図である。
【図８】図１に示した実施の形態における主要部の分解斜視図である。
【図９】本発明のことなる実施の形態に係る戸車装置の主要部の分解斜視図である。
【図１０】本発明の更に異なる実施の形態に係る戸車装置の主要部の分解斜視図である。
【符号の説明】
【００２７】
１，１８,２０  樹脂製ケース、１ａ  前面部、２  車輪、３  枠状の走行体、４  支持軸、５,１９,２２  金属製支持板、７  上下調整ネジ、８  左右調整ネジ
【図１】
2007277937.tif 000003
【図２】
2007277937.tif 000004
【図３】
2007277937.tif 000005
【図４】
2007277937.tif 000006
【図５】
2007277937.tif 000007
【図６】
2007277937.tif 000008
【図７】
2007277937.tif 000009
【図８】
2007277937.tif 000010
【図９】
2007277937.tif 000011
【図１０】
2007277937.tif 000012